(57)【要約】      （修正有）【課題】着用者の顔面屈曲に沿って完全に密着されて微細粉塵の濾過性能が向上し、携帯や保管が容易であり、着用感及び外観にも優れているマスクを提供する。【解決手段】３面折り畳み式マスクは中央部に位置する中央フィルター紙２、前記中央フィルター紙２の上方に延設されて折り曲げ線に沿って中央フィルター紙２の長さ方向に折り畳まれる上部フィルター紙１、中央フィルター紙２の下方に延設されて折り曲げ線に沿って中央フィルター紙２の長さ方向に折り畳まれる下部フィルター紙３、上部フィルター紙１の中央内部に挿設されているアルミ平板の鼻掛け金具と、前記中央フィルター紙２の両端部のそれぞれに設けられる２つの耳掛け紐５を含み、前記上部フィルター紙１の内側面のうち上段部分と下部フィルター紙３の内側面の下段部分のそれぞれには、生地層と、この生地層の一面に形成された樹脂層と、からなる密着布６が付着されている。【選択図】図４
2018031102.tif 000002
【特許請求の範囲】
【請求項１】
（ｉ）マスクの中央部に位置する中央フィルター紙（２）、（ｉｉ）前記中央フィルター紙２の上方に延設されて折り曲げ線（７ａ）に沿って中央フィルター紙（２）の長さ方向に折り畳まれる上部フィルター紙（１）、（ｉｉｉ）前記中央フィルター紙（２）の下方に延設されて折り曲げ線（７ｂ）に沿って前記中央フィルター紙（２）の長さ方向に折り畳まれる下部フィルター紙（３）、（ｉｖ）前記上部フィルター紙（１）の中央内部に挿設されているアルミ平板の鼻掛け金具（４）と、（ｖ）前記中央フィルター紙（２）の両端部のそれぞれに設けられる２つの耳掛け紐（５）を含み、前記上部フィルター紙（１）の内側面のうちの上段部分と前記下部フィルター紙（３）の内側面のうちの下段部分のそれぞれには、生地層（６ａ）と、前記生地層（６ａ）の一面に形成された樹脂層（６ｂ）と、からなる密着布（６）が付着されていることを特徴とする３面折り畳み式マスク。
【請求項２】
前記中央フィルター紙（２）の両端上縁部（２ａ）は前記中央フィルター紙（２）の両端下縁部（２ｂ）より耳掛け紐（５）の方向に沿って相対的に長く延びていることを特徴とする請求項1に記載の３面折り畳み式マスク。
【請求項３】
前記上部フィルター紙（１）の上縁中央部には鼻面挿入用凹溝（１ａ）が形成されており、前記上部フィルター紙（１）の上縁は屈曲が形成された曲線で構成されていることを特徴とする請求項1に記載の３面折り畳み式マスク。
【請求項４】
前記上部フィルター紙（１）、前記中央フィルター紙（２）、及び前記下部フィルター紙（３）のそれぞれはスパンボンド不織布からなる内層（１１）、メルトブローン・フィルター（Ｍｅｌｔ  Ｂｌｏｗｎ  Ｆｉｌｔｅｒ）からなる第１中間層（１２）、サーマル不織布（Ｔｈｅｒｍａｌ  Ｎｏｎーｗｏｖｅｎ  Ｆａｂｒｉｃ）からなる第２中間層（１３）、及びスパンボンド不織布からなる外層（１４）が順に積層されている不織布積層体（１０）で構成されていることを特徴とする請求項1に記載の３面折り畳み式マスク。
【発明の詳細な説明】
【技術分野】
【０００１】
本発明は３面折り畳み式マスクに関するもので、より詳細には、着用者の顔面屈曲に沿ってマスクが完全に密着されて微細粉塵の濾過性能がさらに向上し、携帯や保管が容易であり、着用感（肌触り）及び外観に優れた３面折り畳み式マスクに関するものである。
【０００２】
本発明において、「３面折り畳み式マスク」という用語は、図３乃至図５に示すように、（ｉ）マスクの中央部に位置する中央フィルター紙２、（ｉｉ）前記中央フィルター紙２の上方に延設されて折り曲げ線７ａに沿って中央フィルター紙２の長さ方向に折り畳まれる上部フィルター紙１、（ｉｉｉ）前記中央フィルター紙２の下方に延設されて折り曲げ線７ｂに沿って中央フィルター紙２の長さ方向に折り畳まれる下部フィルター紙３、（ｉｖ）前記上部フィルター紙１の中央内部に挿設されているアルミ平板の鼻掛け金具４と、（ｖ）前記中央フィルター紙２の両端部のそれぞれに設けられる２つの耳掛け紐５と、を含み、マスクの長さ方向に沿って3重に折り畳むことができるマスクを称するものとして使用する。
【背景技術】
【０００３】
最近は、便利に携帯や保管できるように３面折り畳み式マスクが広く使用されている。
【０００４】
マスクは大きく保健用の衛生マスクと産業用の防塵マスクに大別される。
【０００５】
衛生マスクは日常生活の中で多く使用されている。最近、頻繁な黄砂風のため大気汚染が日増しにひどくなっているため、一般人も健康上の理由でマスクを多く着用している実情である。
【０００６】
防塵マスクは有毒ガスの排出が激しい化学工程、金属粉の発生が非常に多い金属製錬工場、粉塵発生が非常に多い紡織工場などの産業現場で作業者の健康のために多く使用されている。
【０００７】
従来の折り畳み式マスクとしては、図１及び図２に示すように、中央フィルター紙２、前記中央フィルター紙２の上方に延設された上部フィルター紙１、及び前記中央フィルター紙２の下方に延設された下部フィルター紙３を含む３面折り畳み式マスクが使用されてきた。
【０００８】
前記従来の３面折り畳み式マスクは、上部フィルター紙１の中央上端部に鼻掛け金具４が設けられており、中央のフィルター紙２の両端部には、耳掛け紐５が連結された構造を有する。
【０００９】
しかし、前記従来の３面折り畳み式マスクは着用者の鼻面及び頬骨部分に密着される上部フィルター紙１の上段部分と、着用者の顎線部分に密着される下部フィルター紙３の下段部分が不織布または不織布積層体からなっているため、弾性が不足している。その結果、着用者の顔面屈曲に沿って完全に密着されないため、微細粉塵の濾過性能が低下する問題があった。
【００１０】
また、前記従来の３面折り畳み式マスクは、図１及び図２に示すように、中央フィルター紙２の両端上縁部２ａと両端下縁部２ｂが耳掛け紐５の方向に沿って同じ長さに延びているため、着用者のＶ字状の顔形態に完全に密着されない。それによって、微細粉塵の濾過性能が低下する問題があった。
【００１１】
参考に、マスクを着用する人は通常、Ｖ字状の顔形態、つまり頬骨部分は広いが、顎部分は狭いＶ字状の顔形態を有している。そのため、マスクが着用者の顔屈曲に沿って完全に密着されるためには、中央フィルター紙２の両端上縁部２ａが中央フィルター紙２の両端下縁部２ｂより耳掛け紐５の方向に相対的に長く突設することが好ましい。しかし、前記従来の３面折り畳み式マスクは前述のような要件を備えていなかった。
【発明の概要】
【発明が解決しようとする課題】
【００１２】
本発明は前述の問題点に鑑みてなされたものであり、その目的は、着用者の顔面屈曲に沿ってマスクが完全に密着されて微細粉塵の濾過性能がさらに向上し、携帯や保管が容易であり、着用感及び外観に優れた３面折り畳み式マスクを提供することにある。
【課題を解決するための手段】
【００１３】
前述のような目的を達成するために、本発明では（ｉ）マスクの中央部に位置する中央フィルター紙２、（ｉｉ）前記中央フィルター紙２の上方に延設されて折り曲げ線７ａに沿って中央フィルター紙２の長さ方向に折り畳まれる上部フィルター紙１、（ｉｉｉ）前記中央フィルター紙２の下方に延設されて折り曲げ線７ｂに沿って中央フィルター紙２の長さ方向に折り畳まれる下部フィルター紙３、（ｉｖ）前記上部フィルター紙１の中央内部に挿設されているアルミ平板の鼻掛け金具４と、（ｖ）前記中央フィルター紙２の両端部のそれぞれに設けられる２つの耳掛け紐５と、を含む３面折り畳み式マスクを製造する際に、前記上部フィルター紙１の内側面のうち上段部分と下部フィルター紙３の内側面のうち下段部分のそれぞれには、生地層６ａと、この生地層６ａの一面に形成された樹脂層６ｂと、からなる密着布６を付着させる。
【００１４】
また、本発明にあたって、前記中央フィルター紙２の両端上縁部２ａは中央フィルター紙２の両端下縁部２ｂより耳掛け紐５の方向に沿って相対的に長く延びるように構成する。
【００１５】
また、本発明にあたって、前記上部フィルター紙１の上縁中央部に鼻面挿入用凹溝１ａを形成し、前記上縁は屈曲が形成された曲線で構成する。
【発明の効果】
【００１６】
本発明によれば、着用者の顔面屈曲に沿ってマスクが完全に密着されて微細粉塵の濾過性能がさらに向上し、携帯や保管が容易であり、着用感及び外観にも優れている。
【図面の簡単な説明】
【００１７】
【図１】従来の３面折り畳み式マスクを概略的に示す斜視図である。
【図２】従来の３面折り畳み式マスクを概略的に示す斜視図である。
【図３】本発明に係る３面折り畳み式マスクの正面写真である。
【図４】本発明に係る３面折り畳み式マスクの背面写真である。
【図５】本発明に係る３面折り畳み式マスクの平面写真である。
【図６】上部フィルター紙と下部フィルター紙が重なった状態を示す本発明に係る３面折り畳み式マスクの正面写真である。
【図７】上部フィルター紙と下部フィルター紙が重なった状態を示す本発明に係る３面折り畳み式マスクの背面写真である。
【図８】上部フィルター紙１の内側面のうち上段部分に密着布６が付着された状態を示す写真である。
【図９】下部フィルター紙３の内側面の下段部分に密着布が付着された状態を示す写真である。
【図１０】密着布６を概略的に示す断面図である。
【図１１】上部フィルター紙、下部フィルター紙、及び中央フィルター紙のそれぞれを構成する不織布積層体（１０）を概略的に示す断面図である。
【発明を実施するための形態】
【００１８】
以下、添付した図面を参照して本発明の好ましい実施形態を詳細に説明する。
【００１９】
まず、本発明に係る３面折り畳み式マスクは、図３乃至図７に示すように、（ｉ）マスクの中央部に位置する中央フィルター紙２、（ｉｉ）前記中央フィルター紙２の上方に延設されて折り曲げ線７ａに沿って中央フィルター紙２の長さ方向に折り畳まれる上部フィルター紙１、（ｉｉｉ）前記中央フィルター紙２の下方に延設されて折り曲げ線７ｂに沿って中央フィルター紙２の長さ方向に折り畳まれる下部フィルター紙３、（ｉｖ）前記上部フィルター紙１の中央内部に挿設されているアルミ平板の鼻掛け金具４と、（ｖ）前記中央フィルター紙２の両端部のそれぞれに設けられる２つの耳掛け紐５と、を含む。
【００２０】
また、本発明に係る３面折り畳み式マスクは、図８及び図１０に示すように、前記上部フィルター紙１の内側面のうち上段部分と下部フィルター紙３の内側面の下段部分のそれぞれには、生地層６ａと、この生地層６ａの一面に形成された樹脂層６ｂと、からなる密着布６が付着されていることを特徴とする。
【００２１】
前記密着布６は図１０に示すように、綿織物、合成繊維織物、綿編物、合成繊維編物の中から選択された１種である生地層６ａと、この一面に樹脂層６ｂが形成された２層構造のコーティング生地であって、弾性に優れている。
【００２２】
本発明に係る３面折り畳み式マスクは、前述のように上部フィルター紙１の内側面のうち上段部分の全長にわたって前記密着布６が付着されており、下部フィルター紙３の内側面のうち上段部分の全長にわたって前記密着布６が付着されているので、着用者の顔屈曲部分に完全に密着される。それによって、微細粉塵の濾過性能が大きく向上する。
【００２３】
前記密着布６を構成する生地層６ｂを綿素材の生地で形成することが、着用時の肌触りを向上させ、様々な色付与により外観を向上させる側面においてより好ましい。
【００２４】
また、前記密着布６を構成する樹脂層６ａは合成樹脂層で形成し、一例としてポリウレタン樹脂層またはシリコン樹脂層で形成することが、密着布６の弾性を向上させる側面においてより好ましい。
【００２５】
一方、本発明に係る３面折り畳み式マスクは、着用者のＶ字状の顔屈曲に完全に密着されるように、前記中央フィルター紙２の両端上縁部２ａは中央フィルター紙２の両端下縁部２ｂより耳掛け紐５方向に沿って相対的に長く延びた構造を有する。
【００２６】
本発明に係る３面折り畳み式マスクは、着用者の鼻面及び頬骨の部分に完全に密着されるように、上部フィルター紙１の上縁中央部に鼻面挿入用凹溝１ａが形成されており、前記上部フィルター紙の上縁は屈曲が形成された曲線で構成される。
【００２７】
一方、図１１に示すように、本発明に係る３面折り畳み式マスクを構成する前記上部フィルター紙１、中央フィルター紙２、及び下部フィルター紙３のそれぞれはスパンボンド不織布からなる内層１１、メルトブローン・フィルター（Ｍｅｌｔ  Ｂｌｏｗｎ  Ｆｉｌｔｅｒ）からなる第１中間層１２、サーマル不織布（Ｔｈｅｒｍａｌ  Ｎｏｎーｗｏｖｅｎ  Ｆａｂｒｉｃ）からなる第２中間層１３、及びスパンボンド不織布からなる外層１４が順に積層されている不織布積層体１０で構成することが、微細粉塵の濾過効率を向上させる側面において好ましい。
【産業上の利用可能性】
【００２８】
以上のように、本発明に係る３面折り畳み式マスクは、着用者の顔面屈曲に沿って完全に密着されて微細粉塵の濾過性能がさらに向上し、携帯や保管が容易であり、着用感及び外観にも優れている。従って、本発明の産業利用性はきわめて高いものといえる。
【００２９】
以上、好ましい実施形態を通じて本発明を説明したが、本発明はこれらによって限定されず、当業者によって本発明の技術思想と特許請求の範囲の均等範囲内で多様な修正及び変形が可能であることはもちろんである。
【符号の説明】
【００３０】
１  上部フィルター紙
２  中央フィルター紙
３  下部フィルター紙
４  鼻掛け金具
５  耳掛け紐
６  密着布
６ａ  密着布の生地層
６ｂ  密着布の樹脂層
１ａ  鼻面挿入用凹溝
２ａ  中央フィルター紙の両端上縁部
２ｂ  中央フィルター紙の両端下縁部
７ａ、７ｂ  折り曲げ線
１０  上部フィルター紙、下部フィルター紙、及び中央フィルター紙のそれぞれを構成する不織布積層体
１１  不織布積層体の内層
１２  不織布積層体の第１中間層
１３  不織布積層体の第２中間層
１４  不織布積層体の外層
【図１】
2018031102.tif 000003
【図２】
2018031102.tif 000004
【図３】
2018031102.tif 000005
【図４】
2018031102.tif 000006
【図５】
2018031102.tif 000007
【図６】
2018031102.tif 000008
【図７】
2018031102.tif 000009
【図８】
2018031102.tif 000010
【図９】
2018031102.tif 000011
【図１０】
2018031102.tif 000012
【図１１】
2018031102.tif 000013